(57)【要約】 【課題】折り畳んだり展開したりしても同様の鏡面精度を保つことができ、防水防風対策をすることで屋外での使用を可能にし、風などの影響を受けることなく一次放射器の位置を常に正しい位置に保つことができ一次放射器のずれによる損失を無くす。  【解決手段】ケース本体１と、柔軟で導電性の材料（メッシュ素材以外のソリッド面を有する材料）で構成された反射鏡１４と、反射鏡１４を保持しケース本体１に設けた少なくとも２箇所の軸１６を中心として回転可能に固着した反射鏡保持具１５と、複数のフレーム９と反射鏡１４の鏡面の前側であって該鏡面のほぼ全面を覆うように固定された電波を損失なく通過させる樹脂板１３と、樹脂板１３を貫通させて設けた一次放射器取付穴２３とケース本体１に回転可能に設けられアンテナの展開時には樹脂板１３と係合させて反射鏡の位置を所定位置に固定させる保持部材１２を有するアンテナカバー２を備えた。【選択図】      図４
2005065002.tif 000002
【特許請求の範囲】
【請求項１】
折り畳みと展開が自在にでき搬送可能な可搬型展開アンテナにおいて、
アンテナの構成部品を収納するケース本体と、
展開時に所定形状の曲面となって、その曲面の一方側が鏡面となる導電性の柔軟な材料で構成された反射鏡と、
前記反射鏡を保持し、前記ケース本体の軸を中心として回転可能に設けた反射鏡保持具と、
前記反射鏡の後ろ側に取り付けられ、その両端部が前記反射鏡保持具に保持された複数のフレームと、
前記反射鏡の鏡面の前側であって、該鏡面のほぼ全面を覆うように前記反射鏡保持具に固定された電波を損失なく通過させる樹脂板と、
前記樹脂板に設けられ、該樹脂板を貫通させて一次放射器を取り付けるための一次放射器取付穴と、
前記ケース本体に回転可能に設けられ、展開時には前記樹脂板と係合させて反射鏡の位置を所定位置に固定させ、前記アンテナの構成部品を収納した状態でその上側に被せるアンテナカバーと、
を少なくとも備えていることを特徴とする可搬型展開アンテナ。
【請求項２】
前記反射鏡は、鏡面の後ろ側に所定間隔で複数の袋状の穴が設けてあり、その袋状の穴に前記フレームが挿入されていることを特徴とする請求項１記載の可搬型展開アンテナ。    
【請求項３】
前記樹脂板は２枚の樹脂板を組み合わせて折り畳み可能に構成され、前記反射鏡はその周囲が前記２枚の樹脂板にネジで固定されていることを特徴とする請求項１又は２記載の可搬型展開アンテナ。
【請求項４】
前記一次放射器を一次放射器取付穴に取り付けた場合、前記反射鏡の鏡面のほぼ全面が前記樹脂板で覆われるように構成することで反射鏡鏡面の防水及び防風構造を実現させていることを特徴とする請求項１乃至３のいずれかに記載の可搬型展開アンテナ。
【請求項５】
前記ケース本体の内部に、前記一次放射器を収納させるための一次放射器収納部と、ダイプレクサを収納させるための収納部が設けてあることを特徴とする請求項１乃至４のいずれかに記載の可搬型展開アンテナ。
【請求項６】
前記ケース本体の底部の複数箇所に複数の仰角調整用ネジを設け、この仰角調整用ネジの調節により展開した反射鏡の仰角を任意に調整可能に構成したことを特徴とする請求項１乃至５のいずれかに記載の可搬型展開アンテナ。
【請求項７】
前記反射鏡は、導電性の柔軟なソリッド面を有する材料で構成されていることを特徴とする請求項１記載の可搬型展開アンテナ。
【請求項８】
前記フレームの両端は、前記反射鏡の展開および折り畳み動作を自在に行うための回転可能な回転支持機構に取り付けられており、
前記反射鏡は、前記回転支持機構により前記フレームの両端を軸として回転し、展開及び折り畳み自在に支持されていることを特徴とする請求項１記載の可搬型展開アンテナ。
【発明の詳細な説明】
【技術分野】
【０００１】
本発明は、人工衛星と通信するために利用されるものであり、折り畳んで薄型ケースに収納することが可能な可搬型展開アンテナに関する。
【背景技術】
【０００２】
従来、人工衛星と通信するための可搬型展開アンテナとして、折り畳んで薄型ケースに収納することが可能なものが知られていた（例えば、特許文献１参照）。以下、この例を従来例として説明する。
【０００３】
図２４乃至２７は従来例の説明図（その１〜その４）を示した図であり、以下、これらの図を参照しながら従来例を説明する。図２４乃至２７において、１０はケース、１１は上蓋、１１ａ、１２ａは蓋の内面、１２は底蓋、１３は連結部位、２０は面状態、３１、３２は外縁部支持部材、３３は中央部支持部材、３４は屈曲部位、４０は連結部材、４１〜４５は連結部材の設置位置、５１は給電部、５２は支持棒を示す。
【０００４】
面状体２０を少なくとも収納するケース１０は薄い略直方体であり、上蓋１１と底蓋１２とからなる。上蓋１１と底蓋１２とは、その連結部位１３を介して開閉自在に構成されている。その各内面１１ａ、１２ａには、ケース１０を開蓋させた時には、面状体２０を拡張させて所定の曲面形状に形成し、ケース１０を開蓋させた時には、面状体２０を弛緩させる連結部材４０が取り付けられている。
【０００５】
面状体２０は柔軟な導電性のメッシュ素材製であり、拡張時の曲面状が放物面なので、パラボラアンテナとして利用される。その面状体２０の外縁部は、堅剛な環状形状の外縁部支持部材３１、３２によって支持される。各外縁部支持部材３１、３２は、半円環状であり、両者を組み合わせると完全な円環状になる。
【０００６】
そのため、２つの外縁部支持部材３１、３２は、その接続部位、すなわち、円環の直径位置に相当する２箇所３４、３４で屈曲可能である。外縁部支持部材３１、３２を、その屈曲部位で折り畳むと、円状の形態が半円状に小型化される。
【０００７】
その２箇所の屈曲部位３４、３４には、その両者３４、３４を連結すると共に、面状体２０の中央部を支持する放物線状の中央部支持部材３３が取り付けられている。面状体２０は、その中央部が適宜、中央部支持部材３３に糸類で取り付けられる。
【０００８】
この中央部支持部材３３は、面状体２０を支持することによって、その拡張させやすさに寄与する他、外縁部支持部材３１、３２を屈曲部位３４、３４で折り畳んだ時に、面状体２０をケース１０に安定して収納させる作用もある。ケース１０の内面１１ａ、１２ａと面状体２０とを連結する連結部材４０には、糸類など柔軟な線状体が用いられる。
【０００９】
連結部材４０は、上側の外縁部支持部材３１との間の位置４１、４１や、下側の外縁部支持部材３２との間の位置４２に配置されることで、折り畳まれた外縁部支持部材３１、３２を十分に拡開する。
【００１０】
また、中央部支持部材３３との間の位置４３に配置されることで、中央部支持部材３３の自重などによる影響を排して、所望の位置に中央部支持部材３３を配置する。そして、面状体２０との間の位置４４、４５に配置されることで、ケース１０を開蓋させた時に、面状体２０を十分拡張して所定の放物面形状に形成する。面状体２０との間の位置に配置する連結部材４４、４５は、外縁部支持部材３１、３２や中央部支持部材３３と離隔させて分散することが望ましい。なお、連結部材４０には、糸類などの柔軟な線状体の他に、堅剛な棒状体を適宜布設してもよい。
【００１１】
ケース１０の底蓋１２を接地させて、上蓋１１を所定角度開くと、複数の連結部材４０による張力調整によって、外縁部支持部材３１、３２が拡開されることと相俟って、面状体２０の全面が拡張されて放物面形状に形成される。なお、堅剛な中央部支持部材３３を用いることにより、面状体２０の中央部分の形状が精度よく放物面に形成される。
【００１２】
前記面状体２０は、連結部材４０を介して、ケース１０の内側に立設される。連結部材４０とケース１０以外に、面状体２０を支持する部材は必要なく、底蓋１２の接地角度と方位のみを調整すれば、アンテナとして使用できる。
【００１３】
ケース１０の底蓋１２には、面状体２０で受信して反射された伝播を授受する給電部５１（一次放射器）を支持する支持棒５２が、底蓋１２に対して屈曲自在に付設されている。ケース１０の開蓋時には、支持棒５２が立脚して、その先端の給電部５１が、面状体２０の焦点に配置される。なお、ケース１０の開蓋時には、給電部５１と支持棒５２も、適宜屈曲されてケース１０内に収納される。
【００１４】
ケース１０を開蓋させた時には、面状体２０は弛緩するが、連結部材４０に結びついているので、ケース１０の内部に誘導される。なお、外縁部支持部材３１、３２と中央部支持部材３３が平面状であるので、ケース１０は、薄型の搬送性に富んだものが使用できる。
【特許文献１】特開２００３−８３４０号公報
【発明の開示】
【発明が解決しようとする課題】
【００１５】
前記従来例では次のような課題があった。
【００１６】
ａ：従来例のアンテナでは、反射鏡の素材として柔軟な導電性のメッシュ素材製を用いており、その反射鏡を糸で引っ張っているため、数回折り畳んだり開いたりすると、引張力によりメッシュの形が変わってしまい鏡面精度を保つことが難しい。更に、糸で引っ張っていることと鏡面に対する向かい風などにより、鏡面精度を保つことが難しい。
【００１７】
ｂ：鏡面の前は何も防水対策がないため、雨の天気では屋外で使用することはできなかった。
【００１８】
ｃ：給電アンテナ（一次放射器）の固定に一本の支持棒を使用しているため、風などの影響を受けやすく、給電部の位置を常に保つことは難しかった。従って、給電部の位置、すなわち、電波が一箇所に集中する焦点の位置がずれるため、そのずれによる損失が発生していた。
【００１９】
本発明は、このような従来の課題を解決し、数回折り畳んだり開いたりしても同様の鏡面精度を保つことができ、雨や風などによる影響を小さくした防水防風対策をとることにより屋外での使用を可能にすると共に、風などの影響を受けることなく一次放射器の位置を常に正確な位置に保つことができ、一次放射器のずれによる損失を無くすことを目的とする。
【課題を解決するための手段】
【００２０】
本発明は前記の目的を達成するため、次のように構成した。
【００２１】
(1) ：折り畳みと展開が自在にでき搬送可能な可搬型展開アンテナにおいて、アンテナの構成部品を収納するケース本体と、展開時に所定形状の曲面となって、その曲面の一方側が鏡面となる導電性の柔軟な材料（メッシュ形状素材以外の布地）で構成された反射鏡と、前記反射鏡を保持し、前記ケース本体の軸を中心として回転可能に設けた反射鏡保持具と、前記反射鏡の後ろ側に取り付けられ、その両端部が前記反射鏡保持具に保持された複数のフレームと、前記反射鏡の鏡面の前側であって、該鏡面のほぼ全面を覆うように前記反射鏡保持具に固定された電波を損失なく通過させる樹脂板と、前記樹脂板に設けられ、該樹脂板を貫通させて一次放射器を取り付けるための一次放射器取付穴と、前記ケース本体に回転可能に設けられ、展開時には前記樹脂板と係合させて反射鏡の位置を所定位置に固定させ、前記アンテナの構成部品を収納した状態でその上側に被せるアンテナカバーとを少なくとも備えていることを特徴とする。
【００２２】
(2) ：前記(1) の可搬型展開アンテナにおいて、前記反射鏡は、鏡面の後ろ側に所定間隔で複数の袋状の穴が設けてあり、その袋状の穴に前記フレームが挿入されていることを特徴とする。
【００２３】
(3) ：前記(1) または(2) の可搬型展開アンテナにおいて、前記樹脂板は２枚の樹脂板を組み合わせて折り畳み可能に構成され、前記反射鏡はその周囲が前記２枚の樹脂板にネジで固定されていることを特徴とする。
【００２４】
(4) ：前記(1) 乃至(3) のいずれかに記載の可搬型展開アンテナにおいて、前記一次放射器を一次放射器取付穴に取り付けた場合、前記反射鏡の鏡面のほぼ全面が前記樹脂板で覆われるように構成することで反射鏡鏡面の防水及び防風構造を実現させていることを特徴とする。
【００２５】
(5) ：前記(1) 乃至(4) のいずれかに記載の可搬型展開アンテナにおいて、前記ケース本体の内部に、一次放射器の収納部と、ダイプレクサの収納部が少なくとも設けてあることを特徴とする。
【００２６】
(6) ：前記(1) 乃至(5) のいずれかに記載の可搬型展開アンテナにおいて、前記ケース本体の底部に、複数の仰角調整用のネジを設け、この仰角調整用のネジの調節により、展開した反射鏡の仰角を任意に調整可能に構成したことを特徴とする。
【００２７】
(7) ：前記(1) の可搬型展開アンテナにおいて、前記反射鏡は、導電性の柔軟なソリッド面を有する材料（メッシュ形状の素材を除く）で構成されていることを特徴とする。
【００２８】
(8) ：前記(1) の可搬型展開アンテナにおいて、前記フレームの両端は、前記反射鏡の展開および折り畳み動作を自在に行うための回転可能な回転支持機構に取り付けられており、前記反射鏡は、前記回転支持機構により前記フレームの両端を軸として回転し、展開及び折り畳み自在に支持されていることを特徴とする。
【発明の効果】
【００２９】
本発明は、前記構成により次のような効果を奏する。
【００３０】
ａ：反射鏡の後ろ側に複数のフレームを取り付けてパラボラ鏡面を実現しているため、従来例に比べ、数回折り畳んだり、開いたりしても同様の鏡面精度を保つことができる。  
【００３１】
ｂ：反射鏡の鏡面の前に電波を損失なく通せる樹脂板を設けているため、従来例のアンテナに比べ実用上十分な防水防風対策を実現しており、風や雨の影響を少なくして屋外での使用を可能にする。
【００３２】
ｃ：反射鏡は電波を損失なく通過させる樹脂板にねじで固定しているため、風などの影響が少なく、一次放射器の位置を常に正確な位置に保つことができ、一次放射器のずれによる損失がなくなる。
【００３３】
ｄ：反射鏡は、鏡面の後ろ側に所定間隔で複数の袋状の穴が設けてあり、その袋状の穴にフレームが挿入されている。これにより、反射鏡の鏡面形状を確実に精度の高い状態で保持することが可能になる。
【００３４】
ｅ：樹脂板は２枚の樹脂板を組み合わせて折り畳み可能に構成され、反射鏡はその周囲が２枚の樹脂板にネジで固定されている。そのため、折り畳みや展開が容易にできると共に、折り畳みや展開を繰り返しても反射鏡の形状は高精度で保持され、防水防風構造もそのまま維持することができる。
【００３５】
ｆ：ケース本体の内部に、一次放射器の収納部と、ダイプレクサの収納部が少なくとも設けてあるので、アンテナの構成部品が容易に収納できて小型になり、折り畳みや展開が容易にできる。
【００３６】
ｇ：ケース本体の底部に複数の仰角調整用のネジを設け、この仰角調整用のネジの調節により、展開した反射鏡の仰角を任意に調整可能に構成している。そのため、可搬型展開アンテナの設置場所が多少悪くても、反射鏡の仰角を任意に、かつ容易に調整することが可能である。
【００３７】
ｈ：反射鏡は導電性の柔軟なソリッド面を有する材料で構成されているため、従来例のメッシュ素材製の反射鏡に比べて電波が通過し難く、高い周波数帯での使用が可能である。
【００３８】
ｉ：フレームの両端は、反射鏡の展開および折り畳み動作を自在に行うための回転可能な回転支持機構に取り付けられており、反射鏡は、回転支持機構によりフレームの両端を軸として回転し、展開及び折り畳み自在に支持されている。従って、折り畳みや展開が極めて容易にできると共に、折り畳みや展開を繰り返しても反射鏡の展開形状は高精度で保持され、防水防風構造もそのまま維持することができる。
【発明を実施するための最良の形態】
【００３９】
§１：可搬型展開アンテナの概要説明・・・図１〜図４参照
図１は可搬型展開アンテナの斜視図、図２は可搬型展開アンテナの外観図であり、Ａ図は図１のＸ方向から見た側面図、Ｂ図は図１の平面図、Ｃ図は図１のＹ方向から見た側面図である。図３はアンテナカバーを取り外した状態での可搬型展開アンテナの平面図である。以下、図１乃至図３を参照しながら可搬型展開アンテナの概要を説明する。
【００４０】
この可搬型展開アンテナの外観は図１、図２に示してあり、図１では全体を斜視図として示し、図２では図１の各方向（Ｘ、Ｙ、上面）から見た外観を示している。これらの図に示したように可搬型展開アンテナは、ケース本体１と、該ケース本体１に被せるアンテナカバー２が設けてあり、アンテナカバー２の一部には人が手で持ち易いように把手（又は摘まみ）３が設けてある。
【００４１】
前記アンテナカバー２はケース本体１の一部に、該ケース本体１に対し、蝶番４（図２参照）により回転可能な状態で取り付けられている。なお、ケース本体１は樹脂製の材料（例えば、ＡＢＳ樹脂）で構成し、アンテナカバー２はアルミニューム製の材料で構成することにより軽量化を計っている（但し、ケース本体１とアンテナカバー２の材料は、他の材料で製作することも可能である）。
【００４２】
また、図２に示したように、ケース本体１の一部には人が可搬型展開アンテナを持って搬送するための把手７が設けてあり、その両側に蝶番４が２個設けてあり、この２個の蝶番４によりアンテナカバー２がケース本体１に対し回転可能に取り付けられている。また、前記把手７の周辺部には外部の機器と接続するための送受信コネクタ５が設けてある。
【００４３】
図３に示したように、アンテナカバー２を取り外した状態では、ケース本体１の内部に反射鏡１４が半分に折り畳まれた状態で収納されている。更に、ケース本体１の内部には、一次放射器６が一次放射器収納部２９内に収納されると共に、ダイプレクサ８が収納部に収納されている。なお、一次放射器６は、使用場所から取り外して収納してあるが、ダイプレクサ８はケース本体１内で移動しないので、その位置は固定されている。
【００４４】
§２：可搬型展開アンテナの展開時の説明
前記のような構造の可搬型展開アンテナを展開する場合の図を図４に示してある。以下、図４を参照しながら可搬型展開アンテナの展開操作等を説明する。
【００４５】
先ず、図１乃至図３に示したアンテナの収納状態からケース本体１を地面等の所定の設置場所に設置し、アンテナカバー２に設けた把手３を摘んで該アンテナカバー２を手作業で開く。この場合、アンテナカバー２は蝶番４の部分を中心として回転動作を行い図４のＡ図のようになる。
【００４６】
次に、反射鏡保持具１５をアンテナカバー２と反対側へ手作業で開く。この場合、反射鏡保持具１５はケース本体１に固定された軸１６の回りに回転動作を行い、ケース本体１に対しほぼ直角方向まで開いて止まり、図４のＢ図の状態になる。この時、反射鏡保持具１５には導電性の樹脂板１３が２枚固定してあり、この樹脂板１３には多数のフレーム９により保持され取り付けられた反射鏡１４が固定してある。そのため、多数のフレーム９に取り付けられた反射鏡１４は、反射鏡保持具１５の回転動作に伴って展開した状態になる。
【００４７】
次に、反射鏡１４を使用状態の仰角にするため、図４のＣ図のように傾斜させた状態に戻して樹脂板１３の先端部をアンテナカバー２の先端部に設けた保持部材１２に固定し、使用時の状態にする。この場合、保持部材１２はそれぞれ２個の保持片が所定間隔で設けてあるから、その２個の保持片の隙間にアンテナカバー２の先端部を挿入させれば、樹脂板１３とアンテナカバー２とが係合して固定される。このようにして、可搬型展開アンテナの反射鏡１４を対象とする人工衛星と通信を行うのに適した仰角に設定し、可搬型展開アンテナの方向等も調整した状態で通信可能な状態にする。
【００４８】
§３：可搬型展開アンテナの詳細な構造の説明
以下、図５乃至図１２｛可搬型展開アンテナの詳細な構造の説明図（その１）〜（その８）｝に基づいて、可搬型展開アンテナの詳細な構造を説明する。
【００４９】
先ず、図５には、図４のＢ図の状態を別の角度から詳細に見た図を示している。この図から明らかなように、反射鏡保持具１５は、ケース本体１の端部に軸１６に対し回転可能に固定されている。そして、反射鏡保持具１５には樹脂板１３（２枚の樹脂板を組み合わせている）が固定され、この樹脂板１３に、金属製（この例では、アルミニューム製）のフレーム９を介して反射鏡１４が固定されている。
【００５０】
この場合、反射鏡１４は導電性の布で構成されており、この導電性の布を多数のフレーム９に固定することで、反射鏡１４の内面（図５では裏側が図示されている）がパラボラ鏡面（放物面状の鏡面）となるようにしている。図５の反射鏡１４部分をより詳細に図示したのが図６である。
【００５１】
図６において、Ａ図は反射鏡面（裏側）を横から見たときの図、Ｂ図は反射鏡面を後ろから見たときの図である。図６に示したように、多数のフレーム９はアルミニューム等の金属製のフレームを使用しており、それぞれのフレーム９は反射鏡１４の内面が放物面となるようにその裏側で支えるため、曲線状に曲げられている。そして、フレーム９の各両端はほぼ一箇所に集められ、反射鏡保持具１５の先端部付近において、回転可能な状態で係合保持されている。
【００５２】
前記フレーム９の両端付近における係合保持手段の構造を図７に詳細に図示してある。図７に示したように、多数のフレーム９を回転可能に固定するため、各フレーム９の両端部分には反射鏡保持具１５に回転可能に係合保持するための軸部材１７が設けられており、この軸部材１７に枠部材１８が係合保持されると共に、引っ掛け部１９が形成されている。
【００５３】
また、各フレーム９の両端部分にはそれぞれ凹部２０を形成し、この凹部２０を前記引っ掛け部１９に引っ掛けて回転可能に固定する。そして、枠部材１８により多数のフレーム９の内の一方のフレーム９が抜け出ないように係合保持している。このようにして多数のフレーム９を回転可能に係合保持（回転可能に固着）することが可能になる。
【００５４】
前記図７に示した構成において、軸部材１７、枠部材１８、引っ掛け部１９、凹部２０を含めた部分は、反射鏡展開／折り畳み機構を構成している。この場合、フレーム９の両端は、反射鏡１４の展開および折り畳み動作を自在に行うための反射鏡展開／折り畳み機構に取り付けられており、反射鏡１４は、前記反射鏡展開／折り畳み機構によりフレーム９の両端を軸として回転し、展開及び折り畳み自在に支持されている。
【００５５】
次に、図４のＣ図に示した図を別の角度から見て図示すると図８のようになる。この状態では、反射鏡１４を希望する仰角で固定できる状態である。この時、樹脂板１３の先端部に設けた保持部材１２（所定間隔離れて固着された２つの保持片の間）に、アンテナカバー２の先端が保持され、所定の仰角で固定されている。
【００５６】
このような状態で可搬型展開アンテナを使用状態にするため図９に示したようにする。  
【００５７】
この場合、反射鏡１４の周辺部は多数の固定ネジ２１により樹脂板１３に固定されている。そして、２枚の樹脂板を折り畳み自在にして結合した樹脂板１３の略中央部に一次放射器取付穴２３が該樹脂板１３を貫通させて設けてある。そこで、ケース本体１内の一次放射器収納部２９から一次放射器６を取り出し、一次放射器取付穴２３に取り付ける。この状態を図１０に詳細に示してある。
【００５８】
図１０のＡ図において、樹脂板１３のほぼ中央部には一次放射器取付穴２３が設けてあり、その周辺部にはビス穴２４が多数設けてある。そこで、一次放射器取付穴２３に一次放射器６を取り付ける場合、先ず、ケース本体１の一次放射器収納部２９から一次放射器６を取り出し、その一次放射器６を一次放射器取付穴２３に挿入する。そして、ビス２５を一次放射器６に設けたビス用穴２４に挿入し、一次放射器取付穴２３にねじ込むことで固定する。
【００５９】
次に、一次放射器６とケース本体１に収納してあるダイプレクサ８との間を同軸ケーブル２７により接続し、図１０のＢ図の状態にする。この状態を別の角度から見た図を図１１に示す。図１１のＡ図は樹脂板１３側から見た図であり、図１１のＢ図はその側面側から見た図である。これらの図から分かるように、同軸ケーブル２７は反射鏡１４への影響が少なくなるように設けてあることが分かる。一次放射器６とダイプレクサ８との間の同軸ケーブル２７による接続状態を更に詳細に図示したのが図１２である。
【００６０】
§４：反射鏡の製作工程の説明
図１３は反射鏡の製作工程説明図であり、以下、この図を参照しながら反射鏡の製作工程について説明する。
【００６１】
前記反射鏡１４は多数のフレーム９により形状を保持されるようになっている。この場合、前記フレーム９は導電性の布からなる反射鏡１４にフレーム９が挿入可能な袋状の穴を製作しておき、その袋状の穴の中にフレーム９を挿入させて保持する。図１３に示した例はフレーム９の断面形状や反射鏡１４の直径を図示のように設定した例である。この例では、フレーム９の断面形状は矩形であり、厚さ２ｍｍ、幅６ｍｍの寸法である。また、反射鏡１４の直径は３５０ｍｍである。なお、この例は１例であり、使用目的により他の寸法でも良い。
【００６２】
この場合、反射鏡１４を構成する導電性の布を複数の分割片（これを「複数の鏡面」（２組のＡ、Ｂ、Ｃとする）に分割切断する。そして、各分割した布片（複数の鏡面）を縫い合わせて反射鏡１４の鏡面全体を製作する。この場合、外周側から中心側に向けて、１つの布片Ａにフレームの通る袋状の穴を作る。
【００６３】
次に、布片ＡとＢを縫い合わせてフレームの通る袋状の部分（穴）を作る。次に、布片ＢとＣを縫い合わせてフレームの通る袋状の部分（穴）を作る。次に、もう一枚の布片Ｃと布片Ｃを縫い合わせてフレームの通る袋状の部分（穴）を作る。このような製作工程により反射鏡１４を製作する。
【００６４】
§５：可搬型展開アンテナの収納時の説明
図１４乃至図１６は可搬型展開アンテナ収納時の説明図（その１）乃至（その３）である。以下、図１４乃至図１６を参照しながら可搬型展開アンテナ収納時の説明をする。
【００６５】
前記図４のＣ図に示した展開時の状態から図１、図２に示した状態に、可搬型展開アンテナを収納する場合、次のようにする。
【００６６】
先ず、図１４に示したように、同軸ケーブル２７を取り外し、更に、一次放射器６を取り外し、この一次放射器６をケース本体１内の一次放射器収納部２９に収納する。次に、図１５に示したように、樹脂板１３とアンテナカバー２との保持状態を手作業により解除して両者を切り離し、アンテナカバー２を立てたまま反射鏡１４を折り畳んで収納する。次に、図１６に示したように、反射鏡保持具１５をケース本体１に収納し、続いてアンテナカバー２もケース本体１側へ折り畳むことによりアンテナカバー２を閉じる。この状態で図１、図２の状態に戻り、可搬状態になる。
【００６７】
§６：可搬型展開アンテナの要求特性の説明
前記可搬型展開アンテナの要求特性は次の通りである。
【００６８】
(1) ：要求されるアンテナ性能（回線設計例による想定値）
例えば、前記可搬型展開アンテナは西暦２００４年に打ち上げ予定の技術試験衛星
【００６９】
【数１】
2005065002.tif 000003
を用いて、携帯及び可搬型地球局などにより高速データ衛星通信実験を行う予定である。そして、前記可搬型展開アンテナは前記技術試験衛星を用いた高速データ通信実験に使用する可搬型地球局のアンテナとして設計されている。要求されるアンテナ性能は次の通りである。
【００７０】
ａ：周波数帯
送信：２６５７．５±２．５ＭＨZ 、受信：２５０２．５±２０ＭＨZ 
ｂ：利得
１２ｄＢｉ以上（回線設計上１Ｍｂｐｓの伝送速度を確保するため）
ｃ：その他
送受信とも左旋円偏波
である。
【００７１】
(2) ：アンテナパターン
周波数帯域内での放射パターンを図１７乃至図２２｛要求されるアンテナ性能の説明図（その１）〜（その６）｝に示す。これらの図に示したアンテナパターンは、可搬型展開アンテナが前記要求周波数帯内で動作しているか否かを確かめるため、前記可搬型展開アンテナを使用して実測により得たデータである。図１７乃至図２２において、横軸はアングル（ｄｅｇ）、縦軸はマグニチュード（ｄＢ）を示す。
【００７２】
図１７は周波数２４８２．５ＭＨZ での放射パターン、図１８は周波数２５０２．５ＭＨZ での放射パターン、図１９は周波数２５２２．５ＭＨZ での放射パターン、図２０は周波数２６５５ＭＨZ での放射パターン、図２１は周波数２６５７．５ＭＨZ での放射パターン、図２２は周波数２６６０ＭＨZ での放射パターンを示す。これらの実測された各放射パターンから、前記可搬型展開アンテナが前記要求周波数帯内で動作していることが確認された。
【００７３】
§７：可搬型展開アンテナの他の例の説明
図２３は可搬型展開アンテナの他の例を示す図である。この例は、展開した可搬型展開アンテナの仰角を任意に調整できるようにした例である。この例は、前記図１乃至図２２で説明した可搬型展開アンテナに仰角調整機構を付加した例であり、該仰角調整機構以外の部分は前記図１乃至図２２で説明した可搬型展開アンテナと同じである。
【００７４】
図２３に示したように、仰角調整機構として、ケース本体１の底部の四隅にそれぞれ仰角調整用ネジ２８を螺入可能に設けたものであり、これらの仰角調整用ネジ２８の調整により可搬型展開アンテナの仰角を任意に調整できるようにしている。なお、仰角調整用ネジ２８以外の他の同様な機構により仰角を調整可能にしても実現可能である。
【００７５】
§８：その他の説明
(1) ：前記の例では、フレーム９はアルミニュームのような金属製材料を使用した例について説明したが、他の材料でも使用可能である。例えば、アルミニュームと同様に固くて軽く強度のある樹脂等により構成することも可能である。
【００７６】
(2) ：反射鏡１４の素材としては、従来例のようなメッシュ素材製のものは除くが、それ以外の導電性の柔軟な布等（ソリッド面を有する布等）の素材を用いることが可能である。
【００７７】
(3) ：フレーム９の使用本数は、７本の例について説明したが、それ以外の任意の本数で実現可能である。
【００７８】
(4) ：アンテナカバー２は、アルミニューム製の例で説明したが、このような例に限らず、他の同様な素材を使用しても実現可能である。
【実施例１】
【００７９】
(1) ：要求特性及びその特性
この可搬型展開アンテナは、直径３５０ｍｍの布製反射鏡、マイクロストリップパッチアンテナの一次放射器、ダイプレクサで構成されている。反射鏡は生地のような柔軟な導電性布で作られており、反射鏡の円周と背面に７本の金属フレームを固定し、パラボラ面を形成している。反射鏡の開口面の大きさより少々大きいＡＢＳ樹脂製の板を取り付けており、板の中心に直径６１．２ｍｍの穴を設け、一次放射器を取り付けるようにした。反射鏡の中心の両サイドには蝶番を用いて反射鏡を収納したり展開したりする。
【００８０】
導電性布は厚さ０．１５ｍｍ、面密度８０ｇ／ｍ2 、２．５ＧＨZ におけるリターンロスが−０．０３ｄＢで、電波をほぼ全反射するものである。このような導電性布を用いることにより、反射鏡を簡易に薄く折り畳むことができる。
【００８１】
一次放射器は軽く容易に収納できる。摂動素子を装荷した一点給電の円形パッチアンテナを用いており、無給電素子を給電パッチから高さ１２ｍｍのところに取り付け、給電パッチの半径は２０．９ｍｍ、無給電パッチの半径は１８．４５ｍｍである。基板の半径は２９．５ｍｍ、比誘電率は２．６、厚さは両パッチともに１．７ｍｍである。一次放射器はパッチのグランド面側をＡＢＳ樹脂で囲んでおり、９０ｄｅｇ開口となるように鏡面の中心から８７．５ｍｍ離れたところに取り付けるようにした。
【００８２】
ダイプレクサの大きさは２００ｍｍ×６３ｍｍ、通過帯域は中心周波数に対して、送信が±１５ＭＨZ 、受信が±２５ＭＨZ 、アイソレーションは７０ｄＢ以上である。
【００８３】
(2) ：アンテナ特性
前記可搬型展開アンテナを使用して前記技術試験衛星と通信実験を行う際に要求される周波数特性は、送信（Ｔｘ）が２６５７．５ＭＨZ ±２．５ＭＨZ 、受信（Ｒｘ）が２５０２．５±２０ＭＨZ で、要求利得は回線設計上１Ｍｂｐｓの伝送速度を確保するために１２ｄＢｉ以上の利得が必要となる。次のアンテナの性能仕様が要求性能を満足していることがわかる。
【００８４】
（アンテナの性能仕様）
周波数帯域    Ｔｘ：２６５７．５±２．５ＭＨZ 
Ｒｘ：２５０２．５±２０ＭＨZ 
定在波比      １．５以下
軸比            ２ｄＢ以下
利得          Ｔｘ：１３．７８ｄＢｉ，Ｒｘ：１３．６９ｄＢｉ
（ダイプレクサ端において）
【図面の簡単な説明】
【００８５】
【図１】発明を実施するための最良の形態における可搬型展開アンテナの斜視図である。
【図２】発明を実施するための最良の形態における可搬型展開アンテナの外観図である。
【図３】発明を実施するための最良の形態におけるアンテナカバーを取り外した状態での可搬型展開アンテナの平面図である。
【図４】発明を実施するための最良の形態における可搬型展開アンテナの展開時の説明図である。
【図５】発明を実施するための最良の形態における可搬型展開アンテナの詳細な構造の説明図（その１）である。
【図６】発明を実施するための最良の形態における可搬型展開アンテナの詳細な構造の説明図（その２）である。
【図７】発明を実施するための最良の形態における可搬型展開アンテナの詳細な構造の説明図（その３）である。
【図８】発明を実施するための最良の形態における可搬型展開アンテナの詳細な構造の説明図（その４）である。
【図９】発明を実施するための最良の形態における可搬型展開アンテナの詳細な構造の説明図（その５）である。
【図１０】発明を実施するための最良の形態における可搬型展開アンテナの詳細な構造の説明図（その６）である。
【図１１】発明を実施するための最良の形態における可搬型展開アンテナの詳細な構造の説明図（その７）である。
【図１２】発明を実施するための最良の形態における可搬型展開アンテナの詳細な構造の説明図（その８）である。
【図１３】発明を実施するための最良の形態における反射鏡の製作工程説明図である。
【図１４】発明を実施するための最良の形態における可搬型展開アンテナ収納時の説明図（その１）である。
【図１５】発明を実施するための最良の形態における可搬型展開アンテナ収納時の説明図（その２）である。
【図１６】発明を実施するための最良の形態における可搬型展開アンテナ収納時の説明図（その３）である。
【図１７】発明を実施するための最良の形態における要求されるアンテナ性能の説明図（その１）である。
【図１８】発明を実施するための最良の形態における要求されるアンテナ性能の説明図（その２）である。
【図１９】発明を実施するための最良の形態における要求されるアンテナ性能の説明図（その３）である。
【図２０】発明を実施するための最良の形態における要求されるアンテナ性能の説明図（その４）である。
【図２１】発明を実施するための最良の形態における要求されるアンテナ性能の説明図（その５）である。
【図２２】発明を実施するための最良の形態における要求されるアンテナ性能の説明図（その６）である。
【図２３】発明を実施するための最良の形態における可搬型展開アンテナの他の例である。
【図２４】従来例の説明図（その１）である。
【図２５】従来例の説明図（その２）である。
【図２６】従来例の説明図（その３）である。
【図２７】従来例の説明図（その４）である。
【符号の説明】
【００８６】
１  ケース本体
２  アンテナカバー
３、７  把手
４  蝶番
５  送受信コネクタ
６  一次放射器
８  ダイプレクサ
９  フレーム
１０  ヒンジ部
１２  保持部材
１３  樹脂板
１４  反射鏡
１５  反射鏡保持具
１６  軸
１７  軸部材
１８  枠部材
１９  引っ掛け部
２０  凹部
２１  固定ネジ
２３  一次放射器取付穴
２４  ビス用穴
２５  ビス
２７  同軸ケーブル
２８  仰角調整用ネジ
２９  一次放射器収納部
【図１】
2005065002.tif 000004
【図２】
2005065002.tif 000005
【図３】
2005065002.tif 000006
【図４】
2005065002.tif 000007
【図５】
2005065002.tif 000008
【図６】
2005065002.tif 000009
【図７】
2005065002.tif 000010
【図８】
2005065002.tif 000011
【図９】
2005065002.tif 000012
【図１０】
2005065002.tif 000013
【図１１】
2005065002.tif 000014
【図１２】
2005065002.tif 000015
【図１３】
2005065002.tif 000016
【図１４】
2005065002.tif 000017
【図１５】
2005065002.tif 000018
【図１６】
2005065002.tif 000019
【図１７】
2005065002.tif 000020
【図１８】
2005065002.tif 000021
【図１９】
2005065002.tif 000022
【図２０】
2005065002.tif 000023
【図２１】
2005065002.tif 000024
【図２２】
2005065002.tif 000025
【図２３】
2005065002.tif 000026
【図２４】
2005065002.tif 000027
【図２５】
2005065002.tif 000028
【図２６】
2005065002.tif 000029
【図２７】
2005065002.tif 000030